(57)【要約】【課題】画像表示装置を長期間使用した後において、画像フィルムを交換する際にエレクトロルミネッセンスライトを交換する必要がなく、コスト的に有利なこと。【解決手段】画像フィルムに描かれた画像をエレクトロルミネッセンスライト１３をバックライトとして用いて表示する画像表示装置１であって、発光色の補正のためのピンク系のカラーフィルタ要素が設けられていないエレクトロルミネッセンスライト１３と、エレクトロルミネッセンスライトの発光色の補正のためのピンク系のカラーフィルタ要素が設けられており、エレクトロルミネッセンスライト１３と画像フィルム１１との間においてエレクトロルミネッセンスライト１３とは離脱可能に配置された色補正フィルム１２とを有する。【選択図】    図４
2007187996.tif 000002
【特許請求の範囲】
【請求項１】
画像フィルムに描かれた画像をエレクトロルミネッセンスライトをバックライトとして用いて表示する画像表示方法であって、
前記エレクトロルミネッセンスライトにおける発光色の補正のためのピンク系のカラーフィルタ要素を当該エレクトロルミネッセンスライトとは別体で製作し、
別体で製作した前記カラーフィルタ要素を前記エレクトロルミネッセンスライトと前記画像フィルムとの間に配置した状態で、前記画像フィルムに描かれた画像を表示する、
ことを特徴とする画像表示方法。
【請求項２】
画像フィルムに描かれた画像をエレクトロルミネッセンスライトをバックライトとして用いて表示する画像表示装置であって、
発光色の補正のためのピンク系のカラーフィルタ要素が設けられていないエレクトロルミネッセンスライトと、
前記エレクトロルミネッセンスライトの発光色の補正のためのピンク系のカラーフィルタ要素が設けられており、前記エレクトロルミネッセンスライトと前記画像フィルムとの間において前記エレクトロルミネッセンスライトとは離脱可能に配置された色補正フィルムと、
を有することを特徴とする画像表示装置。
【請求項３】
前記色補正フィルムは、透明な材料からなるシート状体の表面にピンク系の着色料がコーティングされている、
請求項２記載の画像表示装置。
【請求項４】
前記色補正フィルムは、前記エレクトロルミネッセンスライトの表面に粘着材によって貼り付けられている、
請求項２または３記載の画像表示装置。
【請求項５】
画像フィルムに描かれた画像を背面から照明して表示するための照明装置であって、
発光色の補正のためのピンク系のカラーフィルタ要素が設けられていないエレクトロルミネッセンスライトと、
前記エレクトロルミネッセンスライトの発光色の補正のためのピンク系のカラーフィルタ要素が設けられており、前記エレクトロルミネッセンスライトの表面に粘着材によって貼り付けられた色補正フィルムと、
を有することを特徴とする照明装置。
【請求項６】
画像をエレクトロルミネッセンスライトをバックライトとして用いて表示するための画像シートであって、
透明フィルムに画像が描かれた画像フィルムと、
前記エレクトロルミネッセンスライトの発光色の補正のためのピンク系のカラーフィルタ要素が設けられ、前記画像フィルムの裏面に粘着材によって貼り付けられた色補正フィルムと、
を有することを特徴とする画像シート。
【請求項７】
画像フィルムをエレクトロルミネッセンスライトをバックライトとして用いて表示する際に用いる色補正シートであって、
前記エレクトロルミネッセンスライトの発光色の補正のためのピンク系のカラーフィルタ要素が表面に適用されてなるピンクの色補正シート。
【発明の詳細な説明】
【技術分野】
【０００１】
本発明は、画像フィルムに描かれた画像をエレクトロルミネッセンスライトをバックライトとして用いて表示する画像表示方法および装置、並びに、その目的に用いる照明装置および画像シートに関する。
【背景技術】
【０００２】
従来より、駅の構内、ホテルやデパートの室内壁面、またはビルの屋外の壁面などに、装飾用または広告用の画像表示装置がしばしば取り付けられる。
【０００３】
通常、このような画像表示装置は、画像が描かれた画像フィルムを適当なパネル枠に取付け、画像フィルムの背面から照明を行うように蛍光灯をバックライトとして取り付けた構造のものが用いられる。画像フィルムとして、乳白色の半透明のフィルムからなる支持体の両面に同じ画像を印刷したものが用いられる。印刷に代えて写真焼付けを行ったものも用いられる。
【０００４】
このような画像表示装置では、背面からの照明による透過光によって、画像が適切な濃度で鮮明に見える。背面の照明を消した場合でも、外部からの光による反射光によって画像が適切な濃度で一応鮮明に見える。
【０００５】
ところで、最近において、バックライト用の照明装置としてＥＬ（エレクトロルミネッセンスライト）がしばしば用いられる（特許文献１〜３）。ＥＬは、輝度を高くするために、通常、発光原に硫化亜鉛が利用される。その場合に、発光色が青緑色となってしまうので、そのままではカラー画像のバックライトとして使用することができない。そのため、発光原の表面に青緑色の反対色であるピンク系（桃色、赤色系）のコーティングを行うことにより、白色光または昼光色をだすように補正されている。
【０００６】
つまり、従来のバックライト用のＥＬ１３ｊは、例えば図５に示すように、保護層１３０、透明電極１３１、発光層１３２、色フィルタ層１３２ａ、絶縁層１３３、背面電極１３４、および保護層１３５からなる。全体の厚さは１０分の数ミリメートル〜数ミリメートル程度であり、交流電圧を印加することにより発光する。透明電極１３１として、例えばＩＴＯ付きのＰＥＴフィルムが用いられる。発光層１３２として、例えばＺｎＳ（硫化亜鉛）に不純物をドープしたものが用いられる。その不純物として、一般的には銅が用いられ、これにより青緑（ブルーグリーン）色に発光する。青緑の発光色は、輝度、寿命、安定性において有利である。しかし、外部に出る光が白色または昼光色となるように色補正を行うため、青緑の余色であるピンクの染料または顔料による薄い膜を形成し、発光層１３２の表面に色フィルタ層１３２ａとして配置される。また、色フィルタ層１３２ａを設ける代わりに、ピンクの染料または顔料を数％程度の割合でＺｎＳの発光層１３２に混入することもある。。
【特許文献１】特開２０００−４０５９４
【特許文献２】特開２００４−９５５４９
【特許文献３】特開２００５−３１３７６
【発明の開示】
【発明が解決しようとする課題】
【０００７】
ところが、上に述べたＥＬ１３ｊを用いた画像表示装置では、長期間使用していると、ＥＬ１３ｊの色フィルタ層１３２ａが紫外線などによって褪色し、原材料の青緑色が現れてピンク色が減色してしまう。すなわち、画像表示装置の表示面には、室内であれば蛍光灯などの光が照射し、室外であればその他の照明装置の光や太陽光が照射する。それらの光が画像フィルムの画像を透過して色フィルタ層１３２ａを照射し、画像フィルムの画像が恰も日光写真のように色フィルタ層１３２ａに焼き付けられる。
【０００８】
一方、そのような画像表示装置は、広告用に用いられた場合に、所定の期間、例えば１か月とか２か月が経過すれば、広告の内容を変更するために別の画像フィルムに取り替えられる。
【０００９】
そうすると、画像フィルムを取り替えた後には、以前の画像フィルムによる画像が色フィルタ層１３２ａに焼き付けられ、これによってピンク色が褪色して地の青緑色が現れるので、新しい画像フィルムの画像に以前の画像フィルムの画像が重なって浮かび上がってくることになる。そのため、広告として使用できないことが起こる。その場合に、従来においては、画像フィルムの交換とともにＥＬ１３ｊの全体を交換しなければならず、コスト的に極めて不経済なものとなっていた。
【００１０】
また、従来のＥＬは、ピンク系の着色材として主に顔料が用いられており、顔料は対候性は良いが光透過度が悪いので、それだけバックライトによる照度が低下することとなっていた。
【００１１】
本発明は、上述の問題に鑑みてなされたもので、画像表示装置を長期間使用した後において、画像フィルムを交換する際にエレクトロルミネッセンスライトを交換する必要がなく、コスト的に有利な画像表示方法および装置を提供することを目的とする。
【課題を解決するための手段】
【００１２】
本発明に係る画像表示方法は、画像フィルムに描かれた画像をエレクトロルミネッセンスライトをバックライトとして用いて表示する画像表示方法であって、前記エレクトロルミネッセンスライトにおける発光色の補正のためのピンク系のカラーフィルタ要素を当該エレクトロルミネッセンスライトとは別体で製作し、別体で製作した前記カラーフィルタ要素を前記エレクトロルミネッセンスライトと前記画像フィルムとの間に配置した状態で、前記画像フィルムに描かれた画像を表示する。
【００１３】
本発明に係る画像表示装置は、発光色の補正のためのピンク系のカラーフィルタ要素が設けられていないエレクトロルミネッセンスライトと、前記エレクトロルミネッセンスライトの発光色の補正のためのピンク系のカラーフィルタ要素が設けられており、前記エレクトロルミネッセンスライトと前記画像フィルムとの間において前記エレクトロルミネッセンスライトとは離脱可能に配置された色補正フィルムと、を有する。
【００１４】
好ましくは、前記色補正フィルムは、合成樹脂やガラスなどの透明な材料からなるシート状体の表面にピンク系の着色料がコーティングされている。着色料として、顔料または染料などを用いることができる。
【００１５】
また、前記色補正フィルムは、前記エレクトロルミネッセンスライトの表面に粘着材によって貼り付けられる。
【００１６】
本発明に係る照明装置は、発光色の補正のためのピンク系のカラーフィルタ要素が設けられていないエレクトロルミネッセンスライトと、前記エレクトロルミネッセンスライトの発光色の補正のためのピンク系のカラーフィルタ要素が設けられており、前記エレクトロルミネッセンスライトの表面に粘着材によって貼り付けられた色補正フィルムと、を有する。
【００１７】
本発明に係る画像シートは、透明フィルムに画像が描かれた画像フィルムと、前記エレクトロルミネッセンスライトの発光色の補正のためのピンク系のカラーフィルタ要素が設けられ、前記画像フィルムの裏面に粘着材によって貼り付けられた色補正フィルムと、を有する。
【発明の効果】
【００１８】
本発明によると、画像表示装置を長期間使用した後において画像フィルムを交換する際に、エレクトロルミネッセンスライトを交換する必要がなく、コスト的に有利である。
【発明を実施するための最良の形態】
【００１９】
図１は本発明に係る画像表示方法を説明するための画像表示装置１の断面図である。
【００２０】
図１には、画像フィルム１１に描かれた画像を、ＥＬ（エレクトロルミネッセンスライト）１３をバックライトとして用いて表示する画像表示方法が示されている。
【００２１】
すなわち、ＥＬ１３は、公知の原理および構造によって発光するエレクトロルミネッセンスライトであるが、ＥＬ１３には、発光色の補正のためのピンク系のカラーフィルタ要素が設けられていない。したがって、ＥＬ１３の発光色は青緑がかっている。このようなＥＬ１３における発光色の補正のためのピンク系のカラーフィルタ要素を、当該ＥＬ１３とは別体で製作したものが色補正フィルタ１２である。この色補正フィルタ１２をＥＬ１３と画像フィルム１１との間に配置することによって、画像表示装置１が構成される。なお、画像フィルム１１、色補正フィルタ１２、およびＥＬ１３のそれぞれの間は、適当な粘着材によって離脱可能に固定しておけばよい。
【００２２】
画像表示装置１は、画像フィルム１１に描かれた画像を表示する。観察者は、矢印Ｍ１方向から画像を観察する。ＥＬ１３が発光していないときは、外部の照明光や自然光によって画像フィルム１１の反射画像が観察され、ＥＬ１３が発光しているときは、それによる背面からの照明によって画像フィルム１１の透過画像が観察される。
【００２３】
このように、昼であっても夜であっても、また屋内であっても屋外であっても、画像フィルム１１による鮮明な画像を観察することができる。
【００２４】
画像表示装置１を長期間使用していると、ＥＬ１３の色補正フィルタ１２が紫外線などによって褪色し、白っぽくなることがある。すなわち、種々の照明光や太陽光などが画像表示装置１を照射し、光が画像フィルム１１の画像を透過して色補正フィルタ１２を照射することにより、画像フィルム１１の画像が色補正フィルタ１２に焼き付けられる。
【００２５】
そして、広告内容の更新などのために画像フィルム１１を取り替えるときに、色補正フィルタ１２を一緒に取り替える。したがって、以前の色補正フィルタ１２に焼き付けられた画像が浮かび上がってくるといったことは起こらない。それ故、新しい画像フィルム１１によって、新しい画像が鮮明に表示されることとなる。色補正フィルタ１２は低コストで製造できるので、交換してもコスト的にそれほど不利ではなく、ＥＬ１３を交換することなく使用できるので、コスト的に極めて有利である。
【００２６】
なお、図１においては、色補正フィルタ１２がシート状体である場合を説明したが、明確なシート状体でなくてもよく、ＥＬ１３における発光色の補正のためのピンク系のカラーフィルタ要素からなっていればよい。
【００２７】
次に、さらに具体的に説明する。
【００２８】
図２は本発明に係る画像表示装置１Ｂの構成を示す断面図、図３はＥＬ１３Ｂの構成の一例を示す断面図である。
【００２９】
図２に示すように、画像表示装置１Ｂは、画像フィルム１１Ｂ、色補正フィルタ１２Ｂ、およびＥＬ１３Ｂからなる。
【００３０】
画像フィルム１１Ｂは、シート状体１１２、シート状体１１２の表面に形成された第１の画像１１１、シート状体１１２の裏面に形成された第２の画像１１３、および第２の画像１１３の表面に形成された粘着層１１４からなる。
【００３１】
シート状体１１２の材料として、ＰＥＴ、ポリエステル、ポリプロピレンなどからなる可撓性のある透明の合成樹脂、または乳白色の半透明の合成樹脂が用いられる。厚さは、１０分の数ミリメートル〜数ミリメートル程度である。
【００３２】
第１の画像１１１は、インクジェットプリンタによりシート状体１１２の表面に印刷することによって形成される。シート状体１１２の表面におけるインクの浸透性が悪い場合には、シート状体１１２の表面にインクの浸透性を向上させるためのコーティングを行っておけばよい。
【００３３】
また、シート状体１１２の表面に写真焼付けを行うことによって第１の画像１１１を形成することもできる。その場合には、シート状体１１２の表面に写真乳剤層を設けておき、写真乳剤層に露光を行って画像を焼付け、現像および定着を行えばよい。第１の画像１１１の表面に保護層を設けてもよい。
【００３４】
第２の画像１１３は、第１の画像１１１と同じ内容の画像であり、透過光によって観察した場合に画像の濃度が適切となるように設けられている。第２の画像１１３の形成方法は第１の画像１１１の場合と同じである。
【００３５】
なお、第１の画像１１１は反射光用の画像であり、第２の画像１１３は透過光用の画像である。つまり、第１の画像１１１は、外部からの光によってその表面が照明され、その反射光が観察者の目に入ることによって観察される。これに対して第２の画像１１３は、ＥＬ１３Ｂによる背面からの照明による透過光が観察者の目に入ることによって観察される。したがって、第２の画像１１３は、第１の画像１１１よりも濃度（コントラスト）が高くなっている。
【００３６】
粘着層１１４は、画像フィルム１１Ｂと色補正フィルタ１２Ｂとを離脱可能に接合するためのものである。光が透過するように適度に透明である。両面テープのような構成であってもよい。
【００３７】
色補正フィルタ１２Ｂは、シート状体１２２、シート状体１２２の表面に形成されたカラー層１２１、およびシート状体１２２の裏面に形成された粘着層１２３からなる。
【００３８】
シート状体１２２の材料として、ＰＥＴ、ポリエステル、ポリプロピレンなどからなる可撓性のある透明の合成樹脂、またはガラスなどが用いられる。厚さは、１０分の数ミリメートル〜数ミリメートル程度である。
【００３９】
カラー層１２１の材料として、ピンク系の顔料（無機、有機）、染料、蛍光染料などが用いられる。無機顔料として、Ｚｒ・Ｓｉ・Ｆｅ系のコーラルピンク、Ｃｒ・Ｓｉ・Ａｌ系化合物、または、Ａｕ・Ｓｉ・Ａｌ・Ｎａ系化合物などの淡いピンク色が用いられる。まら、イエローと薄い赤を適度に混色してもよい。イエローにはＺｒ・Ｓｉ・Ｐｒなどのプラセオジウム系、赤にはＣｒ・Ｔｉ・Ｓｂ系が用いられる。これらの材料をシート状体１２２の表面にコーティングすることによってカラー層１２１が形成される。
【００４０】
なお、顔料は対候性は良いが光透過度が悪いので、ＥＬ１３Ｂの照明光を効率よく透過させて高い明度で照明を行うためには染料を用いることが好ましい。染料は顔料に比べて対候性が劣るが、色補正フィルタ１２Ｂは着脱可能であり、適宜取り換えることができるので、劣化した場合には取り換えることとすればよい。つまり、本実施形態による場合には、色補正フィルタ１２Ｂのカラー層１２１の材料として染料を用いることによってＥＬ１３Ｂによる照明効率を向上させることができるとともに、染料の対候性に劣る点については色補正フィルタ１２Ｂを交換することで対応することができる。
【００４１】
なお、カラー層１２１の色または分光透過特性は、ＥＬ１３Ｂの発光色の特性に応じて調整すればよい。カラー層１２１の表面に保護層を設けてもよい。
【００４２】
粘着層１２３は、色補正フィルタ１２ＢとＥＬ１３Ｂとを離脱可能に接合するためのものである。光が透過するように適度に透明である。両面テープのような構成であってもよい。
【００４３】
図３に示すように、ＥＬ１３Ｂは、保護層１３０、透明電極１３１、発光層１３２、絶縁層１３３、背面電極１３４、および保護層１３５からなる。厚さは１０分の数ミリメートル〜数ミリメートル程度である。交流電圧を印加することにより発光する。
【００４４】
透明電極１３１として、例えばＩＴＯ付きのＰＥＴフィルムが用いられる。その場合に、例えば、数百ミクロンの透明ＰＥＴに、連続スパッタリングでＩＴＯ（イリジウム−錫の酸化物）膜を形成する。
【００４５】
発光層１３２として、例えばＺｎＳ（硫化亜鉛）に不純物をドープしたものが用いられる。その不純物として、一般的には銅が用いられ、これにより青緑（ブルーグリーン）色に発光する。青緑の発光色は、輝度、寿命、安定性において有利である。
【００４６】
保護層１３０および保護層１３５は、透明電極１３１、発光層１３２、絶縁層１３３、および背面電極１３４からなる積層体構造を密封し、ＥＬ１３Ｂの全体を水や湿気から保護するためのものである。
【００４７】
ＥＬ１３Ｂとして、公知の種々の構成のＥＬを用いることができる。ＥＬ１３Ｂに、機械的な保護のための、または取り付けのための基部材を設けることができる。
【００４８】
しかし、ＥＬ１３Ｂには、発光色を白色または昼光色とするためのピンク系のカラーフィルタ要素が設けられていない。つまり、ＥＬ１３Ｂそれ自体は、発光層１３２の発光色である青緑色、またはそれに近い色を発光する。ＥＬ１３Ｂにはピンク系のカラーフィルタ要素が設けられていないので、ＥＬ１３Ｂの製造に際して、それだけ工程数が低減され、カラーフィルタ要素の付与工程での不良発生による歩留りの低下がなくなり、全体の歩留りが向上する。
【００４９】
上のように構成された画像表示装置１Ｂの使用方法について説明する。
【００５０】
ＥＬ１３Ｂに電源を供給すると青緑色を発光するが、色補正フィルタ１２Ｂによって色補正が行われて白色または昼光色などの光が出る。これによって、画像フィルム１１Ｂの画像が背面からの照明により鮮明に観察される。白色の光による照明であるので、原画像に忠実な色で再現される。
【００５１】
画像表示装置１Ｂについても、長期間使用していると、ＥＬ１３Ｂの色補正フィルタ１２Ｂが紫外線などによって褪色し、画像フィルム１１Ｂの画像が色補正フィルタ１２Ｂに焼き付けられることがある。
【００５２】
しかし、広告内容の更新などのために画像フィルム１１Ｂを取り替えるときに、色補正フィルタ１２Ｂを一緒に取り替える。これによって、更新した新しい画像フィルム１１Ｂによって、新しい画像が鮮明に表示される。色補正フィルタ１２Ｂの交換に要するコストは小さく、ＥＬ１３Ｂを交換することなく続けて使用できるので、コスト的に極めて有利である。
【００５３】
上に述べた実施形態の画像表示装置１Ｂにおいて、色補正フィルタ１２Ｂと画像フィルム１１ＢおよびＥＬ１３Ｂとを粘着層１１４，１２３によって貼り付けたが、粘着層１１４，１２３によることなく互いの位置関係を固定することでもよい。
【００５４】
次に、画像フィルム１１のバックライトとして用いることのできる照明装置３について説明する。
【００５５】
図４はバックライト用の照明装置３を示す断面図である。
【００５６】
図４において、照明装置３は、色補正フィルタ１２ＣおよびＥＬ１３Ｃからなる。色補正フィルタ１２Ｃは、上に述べた色補正フィルタ１２Ｂと同じ構造であり、シート状体１２２、シート状体１２２の表面に形成されたカラー層１２１、およびシート状体１２２の裏面に形成された粘着層１２３からなる。ＥＬ１３Ｃは、上に述べたＥＬ１３Ｂと同じ構造である。
【００５７】
照明装置３において、色補正フィルタ１２ＣとＥＬ１３Ｃとは、粘着層１２３によって離脱可能に接合されている。したがって、色補正フィルタ１２Ｃの交換が容易である。
【００５８】
また、ＥＬをバックライトとして用いて画像を表示するための画像シートを、画像フィルムおよび色補正フィルタによって構成することができる。
【００５９】
すなわち、図２に示す画像フィルム１１Ｂおよび色補正フィルタ１２Ｂによって、画像シートを構成する。このような画像シートは、適当なエレクトロルミネッセンスライトをバックライトとして用い、背面からの照明によって画像を鮮明に表示する。色補正フィルタ１２Ｂの特性は、使用するエレクトロルミネッセンスライトの分光特性に応じて調整しておけばよい。画像フィルム１１Ｂを交換するときには、色補正フィルタ１２Ｂを含めた画像シートの全体を交換する。
【００６０】
上の実施形態において、色補正フィルタ１２Ｂ，１２Ｃでは、シート状体１２２の表面にカラー層１２１を形成したが、裏面に形成してもよい。その他、色補正フィルタ１２，１２Ｂ，１２Ｃ、照明装置３、画像シート、または画像表示装置１，１Ｂ，１Ｃの全体または各部の構造、形状、寸法、個数、材質などは、本発明の趣旨に沿って適宜変更することができる。
【図面の簡単な説明】
【００６１】
【図１】本発明に係る画像表示方法を説明するための断面図である。
【図２】本発明に係る画像表示装置の構成を示す断面図である。
【図３】ＥＬの構成の一例を示す断面図である。
【図４】バックライト用の照明装置を示す断面図である。
【図５】従来のエレクトロルミネッセンスライトの構造を示す断面図である。
【符号の説明】
【００６２】
１，１Ｂ，１Ｃ  画像表示装置
３  照明装置
１１  画像フィルム
１２  色補正フィルタ（カラーフィルタ要素）
１３  ＥＬ（エレクトロルミネッセンスライト）
１２３  粘着層（粘着材）
【図１】
2007187996.tif 000003
【図２】
2007187996.tif 000004
【図３】
2007187996.tif 000005
【図４】
2007187996.tif 000006
【図５】
2007187996.tif 000007